(57)【要約】【課題】電流による磁界を検知し電流を測定すると共に、電流検知感度を可変とする。【解決手段】  貫通孔２を設けた一次導体１に被測定電流Ｉを流すと、貫通孔２の影響がない個所では主方向であるＹ軸方向に流れ、発生する磁束は電流方向と直交するＸ軸方向を向く。貫通孔２の近傍では迂回電流ＩａはＹ軸方向に対し傾くことから、Ｙ軸方向の磁界ベクトル成分Ｈｙ及びＸ軸方向のベクトル成分Ｈｘが共に発生するが、Ｙ軸方向の磁束のベクトル成分Ｈｙを磁気検出素子３ａ、３ｂにより測定する。  入出力位置として、入力端部Ａ〜Ｃ、出力端部Ａ’ 〜Ｃ’が設けられており、これらの端部Ａ〜Ｃ’を組み合わせて被測定電流Ｉの入出力位置を選択する。端部Ａ−Ａ’を選択した場合は、端部Ｂ−Ｂ’を選択した場合に比べて、迂回電流ＩａのＹ軸方向を向く磁界ベクトル成分Ｈｙが大きくなるため、電流測定の検知感度が高くなる。【選択図】図２
2013053914.tif 000002
【特許請求の範囲】
【請求項１】
被測定電流が流れる一次導体に非導電領域を設けて、磁気検出素子により前記非導電領域を迂回する前記被測定電流の主方向を向く磁界成分の検知を行うことによって電流を測定する電流測定装置において、前記一次導体への被測定電流の入出力位置を変えることにより、前記迂回電流の前記一次導体を流れる分布を変えて前記被測定電流の検知感度を可変するようにしたことを特徴とする電流測定装置。
【請求項２】
前記磁気検出素子は一方向の磁界成分を検知可能とし、該磁界検知方向を前記被測定電流の主方向となるように前記磁気検出素子を前記非導電領域の側方に離隔して配置したことを特徴とする請求項１に記載の電流測定装置。
【請求項３】
前記一次導体への前記被測定電流の入出力位置を前記一次導体の入力側、出力側の複数個所にそれぞれ設けたことを特徴とする請求項１又は２に記載の電流測定装置。
【請求項４】
前記入出力位置は前記一次導体の入力側、出力側に対向して配置したことを特徴とする請求項１又は２又は３に記載の電流測定装置。
【請求項５】
前記入力側、出力側の入出力位置を選択して端子を接続したことを特徴とする請求項３又は４に記載の電流測定装置。
【請求項６】
前記入力側、出力側の入出力位置を選択して電線をハンダ付けしたことを特徴とする請求項３又は４に記載の電流測定装置。
【請求項７】
前記入力側、出力側の入出力位置に取付孔を設け、これらの取付孔を選択して電線を接続したことを特徴とする請求項３又は４に記載の電流測定装置。
【請求項８】
前記入力側、出力側の入出力位置を選択して接触個所を連続的に変える接触子を設けたことを特徴とする請求項３又は４に記載の電流測定装置。
【請求項９】
前記入力側、出力側の入出力位置をスイッチによって接続個所を選択することを特徴とする請求項３又は４に記載の電流測定装置。
【発明の詳細な説明】
【技術分野】
【０００１】
本発明は、被測定電流が流れる一次導体の被導電領域の近傍において磁界を検知することにより被測定電流の電流量を求め、一次導体への被測定電流の入出力端を変えることで、電流検知感度を可変する電流測定装置に関するものである。
【背景技術】
【０００２】
電流の測定では、被測定電流を囲んだ磁気コアのギャップ部に磁界を発生させ、磁界を磁気検出素子を介して電圧値として検出し、電圧値を校正して換算することで、被測定電流量を計算する電流測定装置が従来から使用されている。
【０００３】
その一例として、特許文献１のように、磁気検出素子としてフラックスゲート素子を使用した電流測定装置がある。この特許文献１においては、一次導体は励磁コイルとして機能するため、一次導体のターン数を変えて磁気コア内で発生する磁界の強さを調整することができる。
【０００４】
そのため、トランスのように一次導体の結線方法を変えて磁気コアへのターン数を変え、磁気コア内で発生する磁束の調整ができ、電流測定装置の感度を可変できる。
【０００５】
一方、小型化に適し、特許文献２に示すようなコアを必要としないコアレスの電流測定装置が提案されている。
【先行技術文献】
【特許文献】
【０００６】
【特許文献１】ＵＳ２０１０／０３０１８５２Ａ１号公報
【特許文献２】特開２００９−２７６３５９号公報
【発明の概要】
【発明が解決しようとする課題】
【０００７】
しかし、特許文献１のような一次側導体を励磁コイルとして機能させる電流測定装置においては、一次側導体のターン数を変えて、磁気コア内で発生する磁束を選択することができるが、コアを必要とするため小型化には適さない。
【０００８】
また、特許文献２のようなコアレスの電流測定装置では、一次側導体が発する周回磁界を磁気検出素子で直接検知するため、特許文献１のように一次側導線のターン数を増やすような方法を採ることは難しい。
【０００９】
本発明の目的は、上述の問題点を解消し、一次導体の非導電領域に対する迂回電流の主方向を向く磁界成分の検知を行って被測定電流を測定し、一次導体内の電流分布を変化させることにより、電流検知感度を可変できる電流測定装置を提供することにある。
【課題を解決するための手段】
【００１０】
上記目的を達成するための本発明に係る電流測定装置は、被測定電流が流れる一次導体に非導電領域を設けて、磁気検出素子により前記非導電領域を迂回する前記被測定電流の主方向を向く磁界成分の検知を行うことによって電流を測定する電流測定装置において、前記一次導体への被測定電流の入出力位置を変えることにより、前記迂回電流の前記一次導体を流れる分布を変えて前記被測定電流の検知感度を可変するようにしたことを特徴とする。
【発明の効果】
【００１１】
本発明に係る電流測定装置によれば、一次導体を流れる被測定電流の測定を行うと共に、一次導体の入出力位置を選択することで、被測定電流の検知感度を可変する。
【図面の簡単な説明】
【００１２】
【図１】実施例の電流測定装置の基本的な斜視図である。
【図２】一次導体内の電流と磁場の説明図である。
【図３】一次導体内の電流経路の説明図である。
【図４】検出回路の構成図である。
【図５】検知電流と出力電圧のグラフ図である。
【図６】具体的実施例の斜視図である。
【図７】第１変形例の斜視図である。
【図８】第２変形例の斜視図である。
【図９】第３変形例の構成図である。
【図１０】第４変形例の構成図である。
【発明を実施するための形態】
【００１３】
本発明を図示の実施例に基づいて詳細に説明する。
図１は被測定電流に対する電流測定を行う電流測定装置の基本的な斜視図である。一次導体１は例えばプリント基板上の銅箔パターン或いは銅板で形成されたバスバー等の形態とされ、この一次導体１に検知対象の被測定電流Ｉが流れるようになっている。
【００１４】
一次導体１のほぼ中央には、部分的に電流の遮断を行うために、非導電領域である円形の貫通孔２が設けられており、このため被測定電流Ｉの一部は図２に示すように、この貫通孔２の両側において外側を対称的に回り込む迂回電流Ｉａとなる。なお、非導電領域は必ずしも貫通孔２ではなく、電流を遮断する非導電物質を埋め込むようにしてもよい。
【００１５】
なお、説明の便宜のために、一次導体１に座標軸を設定し、貫通孔２の中心を原点Ｏとして、被測定電流Ｉが流れる主方向をＹ軸、その直交軸である幅方向をＸ軸、厚み方向をＺ軸として説明する。
【００１６】
一次導体１上には、２つの磁気検出素子３ａ、３ｂが貫通孔２から側方のＸ軸方向に離隔し、Ｙ軸方向に向けて直列的に、かつＸ軸に対して対称的に配置され、出力同士を差動的に検知するようになっている。磁気検出素子３ａ、３ｂ上の検知部４ａ、４ｂはＹ軸方向が磁界検知方向となるように配置されている。そして、検知部４ａ、４ｂそれぞれの中心位置は、原点ＯよりもＸ軸方向に距離ｄｘ、Ｙ軸方向にはＸ軸を挟んで距離ｄｙ、Ｚ軸方向には一次導体１の表面から距離ｄｚずらした個所に設けられている。
【００１７】
図２に示すように、一次導体１に被測定電流Ｉを流すと、貫通孔２の影響がない個所では、被測定電流Ｉは主方向であるＹ軸方向に流れる。電流により発生する磁束は電流方向と直交する方向を向くので、一次導体１の入力側の幅ｗ内では、磁界ベクトル成分Ｈｃ０のように、Ｘ軸方向のベクトル成分Ｈｘしか持たない磁場となる。
【００１８】
しかし、貫通孔２の近傍では迂回電流ＩａはＹ軸方向に対し傾くことから、この迂回電流Ｉａにより貫通孔２の両側で磁場が歪んだ磁界ベクトル成分Ｈｃ１が発生する。つまり、迂回電流Ｉａの傾き部分においては、Ｙ軸方向のベクトル成分Ｈｙ及びＸ軸方向のベクトル成分Ｈｘが共に発生する。ベクトル成分Ｈｙとベクトル成分Ｈｘのベクトル和は被測定電流Ｉの大きさに比例し、貫通孔２のＹ軸の正負両側では電流方向が対称形のため、ベクトル成分ＨｙはＸ軸を挟んで対称となり、極性は逆になる。
【００１９】
電流測定に際しては、Ｙ軸方向である一方向の磁界ベクトル成分Ｈｙのみを検知するために、使用する磁気検出素子３ａ、３ｂは指向性の高い磁気インピーダンス素子や直交フラックスゲート素子が好適であり、実施例では磁気インピーダンス素子を用いている。検知部４ａ、４ｂとして、磁性薄膜から成り磁界検知方向のＹ軸方向につづら折りに並列されたパターンが形成されている。両端の電極５にＭＨｚ帯の高周波パルスを印加し、磁界の変化による検知部４ａ、４ｂの両端から、Ｙ軸方向の磁界ベクトル成分Ｈｙのみの電圧振幅変化をセンサ信号として得て、電流値に換算することにより測定が可能となる。
【００２０】
一次導体１には、被測定電流Ｉの複数個所の入出力位置として、入力側の左端、中央、右端に入力端部Ａ、Ｂ、Ｃ、出力側にこれらの入力端部Ａ、Ｂ、Ｃに対向して出力端部Ａ’、Ｂ’、Ｃ’が設けられている。そして、これらの入出力端部Ａ〜Ｃ’を組み合わせて被測定電流Ｉの入出力位置を選択することができる。例えば、図２では中央の入出力端部Ｂ−Ｂ’を電流の入出力位置として選択した場合の電流経路を表したものであり、電流経路はＹ軸に対して対称な分布となる。
【００２１】
図３は一次導体１への被測定電流Ｉの入出力位置として端部Ａ−Ａ’を選択した場合の電流経路を示し、端部Ｂ−Ｂ’を選択した場合に比べて、貫通孔２の近傍における被測定電流Ｉの主方向を向く磁界成分が大きくなるため、電流測定の検知感度が高くなる。この原理から、一次導体１の被測定電流Ｉの入出力位置を変えることで、所望の電流検知感度を選択することが可能となる。
【００２２】
図４は検出回路の構成図を示し、ＣＲパルス発振回路に対しブリッジを構成する抵抗Ｒに、磁気検出素子３ａ、３ｂの検知部４ａ、４ｂが接続されている。検知部４ａ、４ｂの両端電圧からの振幅変化を振幅検波回路により取り出した後に、差動増幅回路で検知部４ａ、４ｂの出力に対し差動増幅が行われて、電流測定装置としての出力を得る。
【００２３】
この場合に、検知部４ａ、４ｂの出力は、感度が同じでＸ軸を挟んで対称な位置にあれば絶対値は同じになり、極性が異なるため差動的に検出すると、出力は検知部４ａ又は４ｂの絶対値の２倍となる。また、外来の磁界ノイズは狭い範囲にある検知部４ａ、４ｂでは同相となり、検知部４ａ、４ｂの出力を差動的に捉えることにより、磁界ノイズは相殺されて、出力に重畳されることはなく、迂回電流Ｉａのベクトル成分Ｈｙのみが測定されることになる。
【００２４】
ここで、被測定電流Ｉの入出力端部の３端部の全てを接続する場合、つまり端部（Ａ＋Ｂ＋Ｃ）−（Ａ’＋Ｂ’＋Ｃ’）の結線方法、或いは端部Ａ−Ａ’、 Ｂ−Ｂ’、Ｃ−Ｃ’のように１個所同士を結線する場合とで、出力電圧の比較を行った。
【００２５】
例えば、電流３Ａ（アンペア）を一次導体１に通電した場合には、端部（Ａ＋Ｂ＋Ｃ）−（Ａ’＋Ｂ’＋Ｃ’）の結線では、電圧振幅変化によるセンサ信号は１１６．１ｍＶの出力値となった。これに対し、端部Ａ−Ａ’のみを接続した場合は２５３ｍＶであり、同様に端部Ｂ−Ｂ’においては１５１．１ｍＶ、端部Ｃ−Ｃ’においては５０．７ｍＶとなっている。この結果から、被測定電流Ｉの一次導体１への被測定電流Ｉの入出力位置を選択することで、電流測定装置の感度を可変できることが分かる。
【００２６】
また、対向する２個所同士の結線、例えば端部（Ａ＋Ｂ）−（Ａ’＋Ｂ’）のような結線によっても、電流測定感度を変えることができることは勿論である。なお、対向する端部同士以外の結線、例えば端部Ａと端部Ｂ’とを結線することもできるが、電流分布が検知部４ａと４ｂとで対称とならないので、差動的出力の処理が稍々複雑となる問題はある。
【００２７】
図５は電流測定装置において、一次導体１にＡＣ電流（６０Ｈｚ）を１〜１０Ａｒｍｓまで可変して通電し、被測定電流Ｉを測定したグラフ図を示している。この結果から、１〜１０Ａの範囲において直線性が保たれていることが分かる。
【００２８】
図６は電流測定装置の具体的な実施例であり、一次導体１に複数の入出力端子を設けた構成となっており、一次導体１の入力端部Ａ、Ｂ、Ｃに入力端子６ａ、６ｂ、６ｃ、出力端部Ａ’、Ｂ’、Ｃ’に出力端子６ｄ、６ｅ、６ｆが接続されている。これらの入出力端子６ａ、６ｂ、６ｃ、６ｄ、６ｅ、６ｆにより、前述したように入力端部と出力端部で１組ずつ、或いは複数組ずつを選択することにより、電流検出感度を可変できる。
【００２９】
図７は第１変形例の斜視図であり、一次導体１の被測定電流Ｉの入力出力端部Ａ〜Ｃ’に相当する位置に、電線７をハンダ付けにより入出力位置を選択して検知感度を変えている。これにより、図６に示すように一次導体１に入出力端部Ａ〜Ｃ’を設ける必要がなくなる。
【００３０】
なお、図７では電線７の固定方法としてハンダ付けを採用しているが、ハンダ付けでなくとも、例えばクランプねじを使用して固定する方法等も考えられる。
【００３１】
図８は第２変形例の斜視図を示し、一次導体１の端部Ａ〜Ｃ’に相当する位置にねじ孔から成る複数個の取付孔８を形成し、この取付孔８を選択して電線のねじ止め個所とすることによって、被測定電流Ｉの入出力位置を選択している。これにより、一次導体１にねじで機械的に固定する場合でも、取付孔８を選択することで被測定電流Ｉの測定感度を可変できる。
【００３２】
図９は第３変形例の構成図であり、入力端部、出力端部においてバー状の接触子９を摺動させて接触可能とし、例えばねじで接触子９を固定することにより、連続的に一次導体１と接触子９との接触個所を変えるようにしている。
【００３３】
この場合は入出力端部Ａ〜Ｃ’は特定されず、一次導体１の両端部の任意個所に接触させればよい。なお、貫通孔２に対する迂回電流ＩａがＸ軸を中心に対称となるように接触子９を接触させることが好ましい。これにより、連続的に電流検知感度を調整することができる。
【００３４】
図１０は第４変形例の構成図であり、スイッチを使用して電流検知感度を調整する例を示している。一次導体１に設けられた入力端部Ａ〜Ｃ、出力端部Ａ’〜Ｃ’にそれぞれにスイッチ１０を配置し、電流検知感度に合わせて入出力端子Ａ〜Ｃ’を組み合わせるスイッチ制御を行う。
【００３５】
これにより、入出力端部Ａ〜Ｃ’に端子等を機械的に付け変えることなく、遠隔的なスイッチ制御で電流検知感度を変えることができる。
【符号の説明】
【００３６】
１  一次導体
２  貫通孔
３ａ、３ｂ  磁気検出素子
４ａ、４ｂ  検知部
５  電極
６ａ〜６ｃ、６ｄ〜６ｆ  入出力端子
７  電線
８  取付孔
９  接触子
１０  スイッチ
Ａ、Ｂ、Ｃ、Ａ’、Ｂ’、Ｃ’   入出力端部
【図１】
2013053914.tif 000003
【図２】
2013053914.tif 000004
【図３】
2013053914.tif 000005
【図４】
2013053914.tif 000006
【図５】
2013053914.tif 000007
【図６】
2013053914.tif 000008
【図７】
2013053914.tif 000009
【図８】
2013053914.tif 000010
【図９】
2013053914.tif 000011
【図１０】
2013053914.tif 000012